(57)【要約】【課題】  外装下地を使用してブリック仕上を行うことによって外装下地端部間に生じるブリックや目地の傾斜，段差等の不揃いを解消する。【解決手段】  柱Ｂ設置の基準寸法４５５ｍｍの１／２弱となるようにブリック４０固定用の横胴縁２０が柱Ｂ固定用の左右縦胴縁１０の両側に突出するように縦胴縁１０に横胴縁２０を設置した金属製の外装下地Ａを形成し，縦胴縁１０を柱Ｂの芯々に位置するように固定することによって柱Ｂ間に横胴縁２０の先端を配置するとともに隣接する横胴縁２０の先端間に上記１／２弱の寸法と基準寸法との差に応じたクリアランスを配置し，隣接する横胴縁２０の先端間に跨ったブリッジ状にブリック４０を設置する。横胴縁２０に生じる傾斜や段差を矯正して一連のブリック仕上が可能となる。【選択図】  図４
2007284908.tif 000002
【特許請求の範囲】
【請求項１】
基準寸法で配置した柱固定用にして壁面幅方向左右の縦胴縁と，該左右の縦胴縁からそれぞれ柱の基準寸法の１／２弱の長さで突出するように該縦胴縁に架設固定したブリック固定用にして上下に平行多数の横胴縁とを備えた外装下地を用い，縦胴縁を室外側のボードを介して柱に固定して壁面幅方向に配置した外装下地の隣接する横胴縁先端にブリッジ状にブリックを跨設固定することによって上記横胴縁の突出長さと柱の基準寸法の１／２との寸法差によって生じた先端間クリアランスを該ブリッジ状のブリックによって被覆して建物に形成してなることを特徴とする外装下地を用いたブリック壁面。
【請求項２】
上記縦胴縁に対する横胴縁の架設固定を，縦胴縁のブラケットに，横胴縁の先端から柱の基準寸法の１／２弱長さ位置に配置したブラケット支持部を支持して行ってなることを特徴とする請求項１に記載の外装下地を用いたブリック壁面。
【請求項３】
基準寸法で配置した柱固定用にして壁面幅方向左右の縦胴縁と，該左右の縦胴縁からそれぞれ柱の基準寸法の１／２弱の長さで突出するように該縦胴縁に架設固定したブリック固定用にして上下に平行多数の横胴縁とを備えた外装下地を用い，上記縦胴縁を室外側のボードを介して柱に固定して壁面幅方向に配置した外装下地の隣接する横胴縁先端に上記横胴縁の突出長さと柱の基準寸法の１／２との寸法差による先端間クリアランスを形成し，該先端間クリアランスをブリックで被覆するように隣接する横胴縁先端にブリックをブリッジ状に跨設固定してブリック壁を形成することを特徴とする外装下地を用いたブリック壁面施工方法。
【発明の詳細な説明】
【技術分野】
【０００１】
本発明は，建物にタイル，レンガ等のブリックを用いた壁面を形成するに使用する，外装下地を用いたブリック壁面及びその施工方法に関する。
【背景技術】
【０００２】
この種タイル，レンガ等のブリック壁面の施工に用いる外装下地として，本発明者は，基準寸法で配置した柱固定用にして壁面幅方向左右の縦胴縁と，該左右の縦胴縁に長手方向端部を架設固定したブリック固定用にして上下に平行多数の横胴縁とを備えた外装下地を提案済みであり，縦胴縁を室外側のボードを介して柱に固定して壁面幅方向に配置した外装下地の横胴縁にそれぞれブリックを張設固定してブリック壁面を形成するようにこれを用いるものとしてある。
【０００３】
【特許文献１】特開２００５−３０７６４０号公報
【発明の開示】
【発明が解決しようとする課題】
【０００４】
しかし乍ら，外装下地の固定は現場作業であり，隣接配置した外装下地の各横胴縁が壁面の幅方向に直線をなす同一高さ位置に水平になるように外装下地を固定するのは必ずしも容易ではなく，隣接配置したいずれかの外装下地における横胴縁が壁面幅方向に僅かに傾斜したり，隣接配置した外装下地における横胴縁に上下の段差が生じたりすることも避け難く，このように傾斜や段差が生じると，隣接する外装下地の壁面幅方向端部に位置するブリック相互が上向き乃至下向きにＶ字状の目地を形成するように傾斜（転び）配置されたり，ブリック相互の高さが一致せずブリック間及び目地間に上下の段差が生じたりする結果を招き，外装下地を用いることによって施工性の向上をなし得る一方で，該外装下地を用いることに起因して外装下地端部の仕上に部分的な不揃いが生じる可能性があるという問題が残されている。
【０００５】
本発明はかかる事情に鑑みてなされたもので，その解決課題とするところは，上記施工性の向上に有利な外装下地を用いることによる外装下地端部の部分的な不揃いを簡易且つ確実に解消し得るようにした外装下地を用いたブリック壁面及びその施工方法を提供するにある。
【課題を解決するための手段】
【０００６】
上記課題に沿って本発明は，縦胴縁を横胴縁の長手方向中間に位置することによって横胴縁を縦胴縁の両側から，柱を配置するに用いる柱の基準寸法，例えば４５５ｍｍ，メーターモジュールの場合は５００ｍｍの１／２弱の長さで突出した形態として縦胴縁を柱に固定して外装下地を設置した状態で横胴縁先端間にクリアランスを配置して，例えば縦胴縁の柱設置位置がずれても該クリアランスがその設置誤差を吸収し，横胴縁先端同士が干渉することによる設置不能を解消し得るようにするとともに該横胴縁先端間にブリックをブリッジ状に跨設固定して隣接する横胴縁先端同士を該ブリックで連結することによって外装下地の固定に起因して横胴縁に現れる傾斜や段差を矯正して先端同士を可及的に一連化し，各横胴縁に固定したブリックと上記ブリッジ状に跨設固定したブリックとの一体的な連続性を確保したブリック壁面としたものであって，即ち請求項１に記載の発明を，基準寸法で配置した柱固定用にして壁面幅方向左右の縦胴縁と，該左右の縦胴縁からそれぞれ柱の基準寸法の１／２弱の長さで突出するように該縦胴縁に架設固定したブリック固定用にして上下に平行多数の横胴縁とを備えた外装下地を用い，縦胴縁を室外側のボードを介して柱に固定して壁面幅方向に配置した外装下地の隣接する横胴縁先端にブリッジ状にブリックを跨設固定することによって上記横胴縁の突出長さと柱の基準寸法の１／２との寸法差によって生じた先端間クリアランスを該ブリッジ状のブリックによって被覆して建物に形成してなることを特徴とする外装下地を用いたブリック壁面としたものである。
【０００７】
請求項２に記載の発明は，上記に加えて，縦胴縁に対する横胴縁の架設固定を好ましい形態とし得るように，これを，上記縦胴縁に対する横胴縁の架設固定を，縦胴縁のブラケットに，横胴縁の先端から柱の基準寸法の１／２弱長さ位置に配置したブラケット支持部を支持して行ってなることを特徴とする請求項１に記載の外装下地を用いたブリック壁面としたものである。
【０００８】
請求項３に記載の発明は，上記外装下地を用いた壁面形成のための施工方法を提供するように，これを，基準寸法で配置した柱固定用にして壁面幅方向左右の縦胴縁と，該左右の縦胴縁からそれぞれ柱の基準寸法の１／２弱の長さで突出するように該縦胴縁に架設固定したブリック固定用にして上下に平行多数の横胴縁とを備えた外装下地を用い，上記縦胴縁を室外側のボードを介して柱に固定して壁面幅方向に配置した外装下地の隣接する横胴縁先端に上記横胴縁の突出長さと柱の基準寸法の１／２との寸法差による先端間クリアランスを形成し，該先端間クリアランスをブリックで被覆するように隣接する横胴縁先端にブリックをブリッジ状に跨設固定してブリック壁を形成することを特徴とする外装下地を用いたブリック壁面施工方法としたものである。
【０００９】
本発明はこれらをそれぞれ発明の要旨として上記課題解決の手段としたものである。
【００１０】
なお本発明で柱にはその基準寸法で配置する主柱，間柱，枠組壁構造のスタッドを含み，またブリックには，タイル，レンガその他の外装用のブリックを含む意味に用いる。
【発明の効果】
【００１１】
本発明は以上のとおりに構成したから，請求項１に記載の発明は，縦胴縁を横胴縁の長手方向中間に位置することによって横胴縁を縦胴縁の両側から，柱を配置するに用いる柱の基準寸法，例えば４５５ｍｍ，メーターモジュールの場合は５００ｍｍの１／２弱の長さで突出した形態として縦胴縁を柱に固定して外装下地を設置した状態で横胴縁先端間にクリアランスを配置して，例えば縦胴縁の柱設置位置がずれても該クリアランスがその設置誤差を吸収し，横胴縁先端同士が干渉することによる設置不能を解消し得るようにするとともに該横胴縁先端間にブリックをブリッジ状に跨設固定して隣接する横胴縁先端同士を該ブリックで連結することによって外装下地の固定に起因して横胴縁に現れる傾斜や段差を矯正して先端同士を可及的に一連化し，各横胴縁に固定したブリックと上記ブリッジ状に跨設固定したブリックとの一体的な連続性を確保するようにして，上記施工性の向上に有利な外装下地を用いることに起因する外装下地端部の部分的な不揃いを簡易且つ確実に解消し得るようにした外装下地を用いたブリック壁面を提供することができる。
【００１２】
請求項２に記載の発明は，上記に加えて，縦胴縁に対する横胴縁の架設固定を好ましい形態とすることができる。
【００１３】
請求項３に記載の発明は，上記外装下地を用いた壁面形成のための施工方法を提供することができる。
【発明を実施するための最良の形態】
【００１４】
以下図面の例に従って本発明を更に具体的に説明すれば，Ａは，例えば軸組構造や枠組壁構造の住宅等建築物の壁面にブリック壁面を形成するために形成した外装下地であり，該外装下地Ａは，基準寸法で配置した柱Ｂ固定用にして壁面幅方向左右の縦胴縁１０と，該左右の縦胴縁１０からそれぞれ柱Ｂの基準寸法の１／２弱の長さで突出するように該縦胴縁１０に架設固定したブリック４０固定用にして上下に平行多数の横胴縁２０とを備えたものとしてあり，本例にあって，上記縦胴縁１０に対する横胴縁２０の架設固定は，これを，縦胴縁１０のブラケット１３に，横胴縁２０の先端から柱Ｂの基準寸法の１／２弱長さ位置に配置したブラケット支持部２３を支持して行ったものとしてある。
【００１５】
本例において縦胴縁１０及び横胴縁２０は，例えばこれを，ロールホーミング成形，プレス成形，押出成形等によって成形加工したスチール，アルミ等の金属製としてあり，本例にあってはスチール板にロールホーミング及び／又はプレス加工を施すことによって，縦胴縁１０は，胴縁基板１１の両側に低突出のリブを備えた断面略コ字状のものとし，横胴縁２０は，それぞれ断面コ字状の胴縁基板２１とその正面側上下先端にブリック４０取付用の上向き係合部２２とを備えたものとしてある。
【００１６】
縦胴縁１０は，横胴縁２０配置ピッチ毎に長手方向，即ち上下方向に，胴縁基板１１にプレスによる切欠加工を施すことによって略断面Ｌ字状をなすブラケット１３を正面側に突出して備えたものとしてあり，本例にあって該ブラケット１３はその上端に正面側に上向きに切り起し形成した傾斜係止片１４を備えたものとしてあり，このとき該縦胴縁１０は，例えば５ｃｍ程度の幅にして，柱の基準寸法に合せた４５５ｍｍ長さを有するものとしてある。
【００１７】
横胴縁２０は，その両端から柱Ｂの基準寸法の１／２の２２７．５ｍｍより幾分短寸の，例えば２２０乃至２２５ｍｍ程度長手方向内側に入った中間位置に該寸法を両端に残して胴縁基板２１の底面にプレスによる切欠加工を施すことによって，上記縦胴縁１０のブラケット１３を挿通して上端を該ブラケット１３に引掛支持する胴縁基板２１上下幅方向下位に矩形に透設した引掛透孔２４とその上位の係止透孔２５とによるブラケット支持部２３を備えたものとしてあり，このとき該横胴縁２０は，上記縦胴縁１０と同様に５ｃｍ程度の幅に形成するとともにその長さを，上記柱Ｂの基準寸法の２倍乃至数倍弱とすることによって，縦胴縁１０のブラケット１３にブラケット支持部２３を支持して外装下地Ａを形成したときに該横胴縁２０が縦胴縁１０の両側に上記２２０乃至２２５ｍｍ程度突出する突出部位を形成するようにしてある。横胴縁２０の長さを基準寸法の２倍弱とするときブラケット支持部２３は，両側に該突出長さを形成して中間の２箇所に，２倍弱とするとき該ブラケット支持部２３の内側を３等分して３箇所とするように，これを適宜に設定した基準寸法の倍数に応じて複数乃至多数設置するものとしてある。
【００１８】
外装下地Ａの形成は，縦胴縁１０の正面側に横胴縁２０のブラケット支持部２３を配置し，そのブラケット１３にブラケット支持部２３を支持して縦胴縁１０に横胴縁２０を架設支持するように行えばよく，本例にあっては横胴縁２０の引掛透孔２４に縦胴縁１０のブラケット１３を挿通するように受け入れ，該横胴縁２０を縦胴縁１０の下方に向けて押下げることによって，引掛透孔２４の上端をブラケット１３の下端に落とし込ませるとともにブラケット１３の傾斜係止片１４を係止透孔２５に弾発的に係止することによってその架設支持を行ってあり，これによって縦胴縁１０に対して横胴縁２０を強固且つ確実に固定してブリック４０設置の下地ベースをなす外装下地Ａとしての強度を確保し得るようにしてある。
【００１９】
このように形成した外装下地Ａは，その縦胴縁１０を図示省略の室外側ボードを介して柱Ｂに固定して壁面幅方向に配置した外装下地Ａの隣接する横胴縁２０先端にブリッジ状にブリック４０を跨設固定することによって上記横胴縁２０の突出長さと柱Ｂの基準寸法の１／２との寸法差によって生じた先端間クリアランス３０を該ブリッジ状のブリック４０によって被覆して建物にブリック壁面Ｃを形成するように用いるものとしてあり，これを，その施工方法によって説明すれば，該外装下地Ａの縦胴縁１０を室外側ボードを介して柱Ｂに固定して壁面幅方向に配置した外装下地Ａの隣接する横胴縁２０先端に上記横胴縁２０の突出長さと柱Ｂの基準寸法の１／２との寸法差による先端間クリアランス３０を形成し，該先端間クリアランス３０をブリック４０で被覆するように隣接する横胴縁２０先端にブリック４０をブリッジ状に跨設固定してブリック壁Ｃを形成するものとしてある。
【００２０】
即ち縦胴縁１０は，例えば軸組構造にあっては柱の基準寸法に従って芯々４５５ｍｍの間隔で起立した柱Ｂの芯に幅方向中央を合わせるように縦胴縁１０長手方向複数箇所を，例えばワッシャー１５を用いたスクリュー釘１６等の固定金具により固定することによって，該柱Ｂの室外側に配置したボード表面の上下方向及び幅方向に外装下地Ａを配置する。このとき柱Ｂの芯と縦胴縁１０の芯がずれることによってその配置に設置誤差が生じるとしても，横胴縁２０の縦胴縁１０からの突出長さを基準寸法の１／４弱とすることによって横胴縁２０の先端，即ちその突出部位先端に形成される１５ｍｍ乃至５ｍｍ程度のクリアランス３０がその設置誤差を吸収し，先端同士が干渉することによる設置不能を解消することができる。
【００２１】
このように配置した外装下地Ａには，それぞれその横胴縁２０の上向き係合部２２にブリック４０の上下に配置した引掛部４１を引掛け係合して図示省略の接着剤で接着することによってブリック４０を固定するとともに該外装下地Ａの上記隣接する横胴縁２０先端に，同様に引掛部４１を上向き係合部２２に引掛係合して接着剤で接着することによってブリック４０をブリッジ状に跨設固定するようにして，上記縦胴縁１０からの突出長さを柱Ｂの基準寸法の１／２弱とすることによって形成された，例えば１．５ｃｍ乃至５ｍｍ程度の上記クリアランス３０をブリック４０が被覆してブリック壁面Ｂを形成するとともに常法に従ってブリック４０間にはモルタル目地等の目地４２を形成するものとしてある。
【００２２】
このように横胴縁２０先端にブリック４０をブリッジ状に跨設固定することによって，該ブリック４０が隣接する横胴縁２０先端同士を連結して，上記設置誤差とともに，例えば縦胴縁１０の固定位置が上下でずれることによって生じることある外装下地Ａにおける横胴縁２０の傾斜や段差を，該横胴縁２０が上記金属製であることによって有する弾性を利用して矯正し，外装下地Ａの隣接する横胴縁２０先端同士を可及的に一連化し，各横胴縁２０に固定したブリック４０と上記ブリッジ状に跨設固定したブリック４０との一体的な連続性を確保して，外装下地Ａ端部のブリック４０や目地４２に生じ得る部分的な不揃いを解消して外観のよいブリック壁面Ｃとすることができる。
【００２３】
図中１２は，横胴縁２０の胴縁基部２１下端を載置することによって縦胴縁１０に対する横胴縁２０の支持を安定するように縦胴縁１０のリブに形成した支持段部を示す。
【００２４】
図示した例は以上のとおりとしたが，外装下地乃至その横胴縁を，樹脂，金属と樹脂の複合材等幾分の弾性を有するものとし得る適宜な材料を用いて形成することによって上記ブリックのブリッジ状の跨設固定を行うようにすること，メーターモジュールの建物にあって上記柱の基準寸法を５００ｍｍに設定して横胴縁の突出部位の長さを５００ｍｍ弱とすること，この場合を含めてクリアランスの設定がブリックの跨設固定とその安定した固定状態の維持に適するとともに上記外装下地の設置誤差を吸収するに適した長さ幅とするように，該クリアランスを，ブリックの横幅以下にして，好ましくは３ｃｍから５，６ｍｍ程度の範囲とするようにこれを設定すること等を含めて，本発明の実施に当って，ブリック外壁，外装下地，縦胴縁，横胴縁，ブリック，寸法差によるクリアランス，必要に応じて用いるブラケット，ブラケット支持部等の各具体的形状，材質，構造，寸法，これらの関係，これらに対する付加，施工の方法等は，上記発明の要旨に反しない限り様々な形態のものとすることができる。
【図面の簡単な説明】
【００２５】
【図１】外装下地の正面図である。
【図２】縦胴縁と横胴縁の関係を示す斜視図である。
【図３】外装下地とブリックの関係を示す縦断面図である。
【図４】横胴縁，クリアランス及びブリックとの関係を示す斜視図である。
【図５】柱，横胴縁，クリアランス及びブリックとの関係を示すタイル壁面の正面図である。
【符号の説明】
【００２６】
Ａ  外装下地
Ｂ  柱
Ｃ  ブリック壁面
１０  縦胴縁
１１  胴縁基部
１２  支持段部
１３  ブラケット
１４  傾斜係止片
１５  ワッシャー
１６  スクリュー釘
２０  横胴縁
２１  胴縁基部
２２  係合部
２３  ブラケット支持部
２４  引掛透孔
２５  係止透孔
３０  クリアランス
４０  ブリック
４１  引掛部
４２  目地
【図１】
2007284908.tif 000003
【図２】
2007284908.tif 000004
【図３】
2007284908.tif 000005
【図４】
2007284908.tif 000006
【図５】
2007284908.tif 000007